(57)【要約】【課題】気象情報の地理的な面での精度の改善を可能とする情報収集システムを提供する。【解決手段】雨具の使用状態を感知し、感知情報として出力する感知手段と、雨具への降雨量を計測し、計測情報として出力する計測手段と、感知情報と計測情報に、予め付与された識別情報を付加した端末情報を出力する端末制御手段と、端末情報を送信する送信手段とを備える情報提供端末と、端末情報を受信する受信手段と、端末情報を受信したときの受信時刻情報、情報提供端末の位置情報、及び端末情報を、識別情報に対応させて端末収集情報として蓄積する情報記憶手段と、端末収集情報を気象情報として用いて演算を行って、降水分布を示す降水情報及び降水分布の予測を示す降水予測情報を含むサービス情報を生成し、情報記憶手段に登録する情報演算手段と、情報演算手段に演算を指示するサービス管理手段とを備えるサービス管理サーバと、を含むことを特徴とする。【選択図】      図５
2015175834.tif 000002
【特許請求の範囲】
【請求項１】
雨具の使用状態を感知し、感知情報として出力する感知手段と、
前記雨具への降雨量を計測し、計測情報として出力する計測手段と、
前記感知情報と前記計測情報に、予め付与された識別情報を付加した端末情報を出力する端末制御手段と、
前記端末情報を送信する送信手段と、
を備える情報提供端末と、
前記端末情報を受信する受信手段と、
前記端末情報を受信したときの受信時刻情報、前記情報提供端末の位置情報、及び前記端末情報を、前記識別情報に対応させて端末収集情報として蓄積する情報記憶手段と、
前記端末収集情報を気象情報として用いて演算を行って、降水分布を示す降水情報及び降水分布の予測を示す降水予測情報を含むサービス情報を生成し、前記情報記憶手段に登録する情報演算手段と、
前記情報演算手段に前記演算を指示するサービス管理手段と、
を備えるサービス管理サーバと、
を含むことを特徴とする情報収集システム。
【請求項２】
前記サービス情報は、前記雨具の使用状態を示す開閉状況、開閉率、降雨状況、降雨強度状況のいずれかを含む降水分布と、前記降水分布の時間的な推移を示した降水推移を含む前記降水情報と、前記降水分布の未来の時間的な推移を推定した降水予測である前記降水予測情報を含む
ことを特徴とする請求項１に記載の情報収集システム。
【請求項３】
前記情報提供端末は、自端末の位置情報を測位して、前記測位結果を端末位置情報として出力する測位手段をさらに備え、
前記端末情報は、前記端末位置情報を含み、
前記サービス管理サーバは、前記端末収集情報の前記位置情報を前記端末位置情報に変更する
ことを特徴とする請求項１または２に記載の情報収集システム。
【請求項４】
サービス管理手段は、予め設定された、前記サービス情報が演算される対象のエリアと時刻を指定する設定を前記情報演算手段に指示し、
前記情報演算手段は、前記設定に基づいて前記演算を行い、前記設定及び予め登録されたスケジュール情報または予め要求された要求情報の目的地のエリアと時刻に対応させて前記演算結果を前記情報記憶手段に登録し、
前記サービス情報の出力先は、前記登録されたスケジュール情報の登録元または前記要求された要求情報の要求元を含む
ことを特徴とする請求項１から３のいずれか１項に記載の情報収集システム。
【請求項５】
前記情報提供端末は、
前記雨具である傘に装着される、
前記雨具である傘に着脱可能に装着される、または
前記雨具である傘に一体化される
ことを特徴とする請求項１から４のいずれか１項に記載の情報収集システム。
【請求項６】
雨具の使用状態を感知し、感知情報として出力する感知手段と、
前記雨具への降雨量を計測し、計測情報として出力する計測手段と、
前記感知情報と前記計測情報に、予め付与された識別情報を付加した端末情報を出力する端末制御手段と、
前記端末情報を受信する受信手段、前記端末情報を受信したときの受信時刻情報、前記情報提供端末の位置情報、及び前記端末情報を前記識別情報に対応させて端末収集情報として蓄積する情報記憶手段、前記端末収集情報を気象情報として用いて演算を行って、降水分布を示す降水情報及び降水分布の予測を示す降水予測情報を含むサービス情報を生成し、前記情報記憶手段に登録する情報演算手段、並びに、前記情報演算手段に前記演算を指示するサービス管理手段を含むサービス管理サーバへ、前記端末情報を送信する送信手段と、
を備えることを特徴とする情報提供端末。
【請求項７】
雨具の使用状態を感知して感知情報として出力する感知手段、前記雨具への降雨量を計測して計測情報として出力する計測手段、前記感知情報と前記計測情報に、予め付与された識別情報を付加した端末情報を出力する端末制御手段、及び、前記端末情報を送信する送信手段を含む情報提供端末から、前記端末情報を受信する受信手段と、
前記端末情報を受信したときの受信時刻情報、前記情報提供端末の位置情報、及び前記端末情報を、前記識別情報に対応させて端末収集情報として蓄積する情報記憶手段と、
前記端末収集情報を気象情報として用いて演算を行って、降水分布を示す降水情報及び降水分布の予測を示す降水予測情報を含むサービス情報を生成し、前記情報記憶手段に登録する情報演算手段と、
前記情報演算手段に前記演算を指示するサービス管理手段と、
を備えることを特徴とするサービス管理サーバ。
【請求項８】
雨具の使用状態を感知して、感知情報として出力し、
前記雨具への降雨量を計測して、計測情報として出力し、
前記感知情報と前記計測情報に、予め付与された識別情報を付加した端末情報を出力し、
前記端末情報を受信し、前記端末情報を受信したときの受信時刻情報、前記端末情報の出力元の位置情報、及び前記端末情報を、前記識別情報に対応させて端末収集情報として蓄積し、
前記端末収集情報を気象情報として用いて演算を行って、降水分布を示す降水情報及び降水分布の予測を示す降水予測情報を含むサービス情報を生成して登録する
ことを特徴とする情報収集方法。
【請求項９】
雨具の使用状態を感知して感知情報として出力する感知手段と、前記雨具への降雨量を計測して計測情報として出力する計測手段と、端末情報を送信する送信手段を備えた情報提供端末が備えるコンピュータを、
前記感知情報と前記計測情報に、予め付与された識別情報を付加した前記端末情報を作成する制御手段と、
前記端末情報を受信する受信手段、前記端末情報を受信したときの受信時刻情報、前記情報提供端末の位置情報、及び前記端末情報を前記識別情報に対応させて端末収集情報として蓄積する情報記憶手段、前記端末収集情報を気象情報として用いて演算を行って、降水分布を示す降水情報及び降水分布の予測を示す降水予測情報を含むサービス情報を生成して前記情報記憶手段に登録する情報演算手段、並びに、前記情報演算手段に前記演算を指示するサービス管理手段を含むサービス管理サーバへ、前記端末情報を送信する送信手段
として動作させるための情報提供端末制御プログラム。
【請求項１０】
雨具の使用状態を感知して感知情報として出力する感知手段、前記雨具への降雨量を計測して計測情報として出力する計測手段、前記感知情報と前記計測情報に、予め付与された識別情報を付加した端末情報を出力する端末制御手段、及び、前記端末情報を送信する送信手段を含む情報提供端末から、前記端末情報を受信する受信手段を備えたサービス管理サーバが備えるコンピュータを、
前記端末情報を受信したときの受信時刻情報、前記情報提供端末の位置情報、及び前記端末情報を前記識別情報に対応させて端末収集情報として登録する情報記憶手段と、
前記端末収集情報を気象情報として用いて演算を行って、降水分布を示す降水情報及び降水分布の予測を示す降水予測情報を含む前記サービス情報を生成し、前記情報記憶手段に登録する情報演算手段と、
前記情報演算手段に前記演算を指示するサービス管理手段
として動作させるためのサービス管理サーバ制御プログラム。
【発明の詳細な説明】
【技術分野】
【０００１】
本発明は、気象情報の地理的な面での精度の改善を可能とする情報収集システム、情報提供端末、サービス管理サーバ、情報収集方法、情報提供端末制御プログラムおよびサービス管理サーバ制御プログラムに関する。
【背景技術】
【０００２】
気象情報の収集は、通常、気象庁の地域気象観測システム（以降、単に「気象観測システム」という。）によって行われる。気象観測システムでは、日本全国に１０数キロメートル程度の間隔で配置された観測装置からの気象情報がセンターに収集される。収集される気象情報は、気温、降水量、風向、風速、日照時間などである。そして、気象観測システムでは、収集された気象情報を基にセンターでコンピュータ処理を行い、処理結果が現在の天気情報、天気予報（降水予測を含む）として公開される。
【０００３】
目的地の天気情報や天気予報を知りたいときは、気象観測システムが公開している、その地点の天気情報や天気予報を閲覧することが望ましい。このような要望に応じるための、目的地の天気情報を取得する技術が知られている。
【０００４】
例えば、特許文献１には、乗車地域と降車地域の位置情報に基づいて気象観測システムの天気予報を取得する技術が開示されている。特許文献１の技術は、定期券や乗車券に記録された電子情報、例えば、乗車駅と降車駅の駅情報を読み取って、それぞれの駅の位置情報を取得する。そして、特許文献１の技術では、取得された駅の位置情報に基づいて乗車地域と降車地域の天気予報が取得される。さらに、特許文献１の技術では、取得された天気予報に基づいて、雨傘の必要の有無の判断も行われる。
【先行技術文献】
【特許文献】
【０００５】
【特許文献１】特開２００５−０９５３５０号公報（第２−４頁、図１）
【発明の概要】
【発明が解決しようとする課題】
【０００６】
特許文献１の技術では、気象観測システムが公開している天気予報に基づいて、乗車地域や降車地域である目的地での雨傘の必要の有無を判断する。しかし、実際には、気象観測システムの天気予報では、目的地の天気が晴れとの予報になっていても、目的地に着いたときには雨が降っている、といったことも起きうる。
【０００７】
上記のような問題が発生する一因として、センターに収集される気象情報自体の、地理的な面での精度の問題がある。すなわち、所定の間隔で設置された観測地点の気象情報が、観測地点の周囲の非観測地点の気象情報を含む所定のエリアの代表情報として使用されており、必ずしも非観測地点の気象情報に等しくないという問題がある。具体的には、前述のように、センターに気象情報を送信する観測装置は、１０数キロメートルの間隔でしか設置されていない。つまり、観測装置から離れた地点における気象情報は、観測装置が設置された地点の気象情報と同じであるとみなされている。
【０００８】
以上のような理由により、気象情報の地理的な面での精度は十分であるとは言えない。したがって、そのような気象情報を用いて行われる天気予報の正確性にも自ずから限界があると考えられる。
【０００９】
本発明は、上記の状況に鑑みてなされたもので、気象情報の地理的な面での精度の改善を可能とする情報収集システム、情報提供端末、サービス管理サーバ、情報収集方法、情報提供端末制御プログラムおよびサービス管理サーバ制御プログラムを提供することを目的とする。
【課題を解決するための手段】
【００１０】
本発明にかかる情報収集システムは、雨具の使用状態を感知し、感知情報として出力する感知手段と、雨具への降雨量を計測し、計測情報として出力する計測手段と、感知情報と計測情報に、予め付与された識別情報を付加した端末情報を出力する端末制御手段と、端末情報を送信する送信手段とを備える情報提供端末と、端末情報を受信する受信手段と、端末情報を受信したときの受信時刻情報、情報提供端末の位置情報、及び端末情報を、識別情報に対応させて端末収集情報として蓄積する情報記憶手段と、端末収集情報を気象情報として用いて演算を行って、降水分布を示す降水情報及び降水分布の予測を示す降水予測情報を含むサービス情報を生成し、情報記憶手段に登録する情報演算手段と、情報演算手段に演算を指示するサービス管理手段とを備えるサービス管理サーバと、を含むことを特徴とする。
【００１１】
本発明にかかる情報提供端末は、雨具の使用状態を感知し、感知情報として出力する感知手段と、雨具への降雨量を計測し、計測情報として出力する計測手段と、感知情報と計測情報に、予め付与された識別情報を付加した端末情報を出力する端末制御手段と、端末情報を受信する受信手段、端末情報を受信したときの受信時刻情報、情報提供端末の位置情報、及び端末情報を識別情報に対応させて端末収集情報として蓄積する情報記憶手段、端末収集情報を気象情報として用いて演算を行って、降水分布を示す降水情報及び降水分布の予測を示す降水予測情報を含むサービス情報を生成し、情報記憶手段に登録する情報演算手段、並びに、情報演算手段に演算を指示するサービス管理手段を含むサービス管理サーバへ、端末情報を送信する送信手段と、を備えることを特徴とする。
【００１２】
本発明のサービス管理サーバは、雨具の使用状態を感知して感知情報として出力する感知手段、雨具への降雨量を計測して計測情報として出力する計測手段、感知情報と計測情報に、予め付与された識別情報を付加した端末情報を出力する端末制御手段、及び、端末情報を送信する送信手段を含む情報提供端末から、端末情報を受信する受信手段と、端末情報を受信したときの受信時刻情報、情報提供端末の位置情報、及び端末情報を、識別情報に対応させて端末収集情報として蓄積する情報記憶手段と、端末収集情報を気象情報として用いて演算を行って、降水分布を示す降水情報及び降水分布の予測を示す降水予測情報を含むサービス情報を生成し、情報記憶手段に登録する情報演算手段と、情報演算手段に演算を指示するサービス管理手段と、を備えることを特徴とする。
【００１３】
本発明の情報収集方法は、雨具の使用状態を感知して、感知情報として出力し、雨具への降雨量を計測して、計測情報として出力し、感知情報と計測情報に、予め付与された識別情報を付加した端末情報を出力し、端末情報を受信し、端末情報を受信したときの受信時刻情報、端末情報の出力元の位置情報、及び端末情報を、識別情報に対応させて端末収集情報として蓄積し、端末収集情報を気象情報として用いて演算を行って、降水分布を示す降水情報及び降水分布の予測を示す降水予測情報を含むサービス情報を生成して登録することを特徴とする。
【００１４】
本発明の情報提供端末制御プログラムは、雨具の使用状態を感知して感知情報として出力する感知手段と、雨具への降雨量を計測して計測情報として出力する計測手段と、端末情報を送信する送信手段を備えた情報提供端末が備えるコンピュータを、感知情報と計測情報に、予め付与された識別情報を付加した端末情報を作成する制御手段と、端末情報を受信する受信手段、端末情報を受信したときの受信時刻情報、情報提供端末の位置情報、及び端末情報を識別情報に対応させて端末収集情報として蓄積する情報記憶手段、端末収集情報を気象情報として用いて演算を行って、降水分布を示す降水情報及び降水分布の予測を示す降水予測情報を含むサービス情報を生成して情報記憶手段に登録する情報演算手段、並びに、情報演算手段に演算を指示するサービス管理手段を含むサービス管理サーバへ、端末情報を送信する送信手段として動作させることを特徴とする。
【００１５】
本発明のサービス管理サーバ制御プログラムは、雨具の使用状態を感知して感知情報として出力する感知手段、雨具への降雨量を計測して計測情報として出力する計測手段、感知情報と計測情報に、予め付与された識別情報を付加した端末情報を出力する端末制御手段、及び、端末情報を送信する送信手段を含む情報提供端末から、端末情報を受信する受信手段を備えたサービス管理サーバが備えるコンピュータを、端末情報を受信したときの受信時刻情報、情報提供端末の位置情報、及び端末情報を識別情報に対応させて端末収集情報として登録する情報記憶手段と、端末収集情報を気象情報として用いて演算を行って、降水分布を示す降水情報及び降水分布の予測を示す降水予測情報を含むサービス情報を生成し、情報記憶手段に登録する情報演算手段と、情報演算手段に演算を指示するサービス管理手段として動作させることを特徴とする。
【発明の効果】
【００１６】
本発明によれば、気象情報の地理的な面での精度を改善できる。
【図面の簡単な説明】
【００１７】
【図１】本発明の第１の実施形態の情報収集システムの構成例を示すブロック図である。
【図２】本発明の第１の実施形態の情報提供端末の構成例を示すブロック図である。
【図３】本発明の第１の実施形態のサービス管理サーバの構成例を示すブロック図である。
【図４】外部のサービス端末の構成例を示すブロック図である。
【図５】本発明の第２の実施形態の情報収集システムの構成例を示すブロック図である。
【図６】本発明の最小構成の情報提供端末の構成例を示すブロック図である。
【図７】外部のサービス端末の他の構成例を示すブロック図である。
【図８】本発明の第２の実施形態の情報提供端末の動作例を示すフローチャートである。
【図９】本発明の第２の実施形態のサービス管理サーバの動作例を示すフローチャートである。
【発明を実施するための形態】
【００１８】
以下に、本発明の実施形態について図面を参照して詳細に説明する。
（第１の実施形態）
本発明の第１の実施形態について説明する。図１は、本実施形態の情報収集システムの構成例を示すブロック図である。図２は、本実施形態の情報提供端末の構成例を示すブロック図である。図３は、本実施形態のサービス管理サーバの構成例を示すブロック図である。図４は、外部のサービス端末の構成例を示すブロック図である。
【００１９】
図１を参照して、本実施形態の情報収集システム１の構成について説明する。情報収集システム１は、情報提供端末１０＃１から１０＃ｎ（ｎは、１以上の整数）とサービス管理サーバ２０を備え、外部のサービス端末３０＃１から３０＃ｍ（ｍは、１以上の整数）と接続される。
【００２０】
情報提供端末１０＃１から１０＃ｎは、それぞれ、雨具と一体化されて、または雨具に装着されて使用される端末である。
【００２１】
図２を参照して、情報提供端末１０＃１の構成について説明する。情報提供端末１０＃１は、送信手段１１、端末制御手段１２、測位手段１３、計測手段１４と感知手段１５を備える。図１に示した情報提供端末１０＃ｎは、情報提供端末１０＃１と同様の構成を備える。ここでは、情報提供端末１０＃１の動作について説明する。
【００２２】
送信手段１１は、端末制御手段１２からの端末情報を、サービス管理サーバ２０に送信する。端末情報については後述する。
【００２３】
測位手段１３は、情報提供端末１０＃１の位置情報を取得する。具体的には、測位手段１３は、複数のＧＰＳ（Global Positioning System）衛星からの電波をそれぞれ受信して位置情報を取得する。なお、位置情報の取得方法は、ＧＰＳによるものには限定されない。例えば、情報提供端末１０＃１がサービス管理サーバ２０と通信する際に観測される電波の強度から位置情報が取得されてもよい。
【００２４】
感知手段１５は、雨具の利用者（以降、「利用者」という。）が雨具に対して行った所定の操作結果を感知する。利用者が雨具に行う操作とは、降雨や降雪または日照を防ぐための操作である。具体的には、雨具が傘である場合は、情報提供端末１０＃１の感知手段１５は、利用者が行った傘への開閉操作の結果を感知する。ここでは、情報提供端末１０＃１は、雨具である傘と一体化されたものとして説明する。
【００２５】
情報提供端末１０＃１の感知手段１５は、利用者が傘に操作を行った結果として次の２つの状態、すなわち、傘が開かれた状態（雨具として使用されている状態）と閉じられた状態（雨具として使用されていない状態）のどちらの状態であるかを感知する。そして、感知手段１５は、感知した結果を感知情報として出力する。
【００２６】
傘の開閉の感知方法について具体的に説明する。傘が閉じられた状態では、傘の複数の受け骨を軸にて移動自在にまとめる部分（以降、「まとめ部」という。）は、軸の手元の近くに位置する下側のロックより手元方向に移動されて、下側のロックによって軸の先端方向への移動をブロックされる。一方、傘が開かれた状態では、まとめ部は、軸の先端の近くに位置する上側のロックより先端方向に移動されて、上側のロックによって手元方向への移動をブロックされる。したがって、感知手段１５は、まとめ部が上側のロックより軸の先端方向にあるか否かを感知することで傘の開閉を感知することができる。
【００２７】
そこで、例えば、感知手段１５として、上側のロックの近くに磁気センサを設けてもよい。そして、磁気センサが、まとめ部に取り付けられた磁石の磁気を感知できれば、傘は開かれた状態であると判断される。一方、磁気センサが、まとめ部に取り付けられた磁石の磁気を感知できなければ、傘は閉じられた状態であると判断される。このように、例えば上記のような方法を用いて、感知手段１５は傘の開閉状態を感知することができる。
【００２８】
なお、感知手段１５の傘の開閉の感知方法は上記の方法に限定されない。傘の開閉の感知は、傘の構造に対応した、適切な方法で行われればよい。
【００２９】
計測手段１４は、傘が開かれた状態にあるとき、その傘の周囲状況を計測する。具体的には、計測手段１４は、衝撃センサを備えて、雨滴による傘への衝撃度合を計測し、その計測結果を計測情報として出力する。雨滴による傘への衝撃の度合いの計測結果に基づいて、降水量が演算される。また、計測手段１４が衝撃センサを備えていることにより、情報収集端末１０＃１の日傘としての使用や傘を開いているだけ（例えば、傘を干している）の状態を検知することができる。その検知結果から、傘が雨具本来の使用状態にあるか否かを区別することができ、雨具本来の用途ではない開かれた状態を除外することができる。傘の本来の「使用状態」とは、単に傘が開かれただけの状態ではなく、降雨を避けるために傘が開かれた状態である。そのため、傘の「使用状態」は、感知手段１５が出力する、傘が開かれている状態か否かの感知結果である感知情報と、計測手段１４が出力する、降水量の計測結果である計測情報とから判断される。すなわち、傘が開かれた状態でかつ、降水量がゼロでないときに、傘は「使用状態」にあると判断され、傘が開かれた情報であっても、降水量がゼロであるときは、傘は「使用状態」にあるとは判断されない。
【００３０】
なお、計測手段１４が行う、降水量を演算するための雨滴量の計測は、衝撃センサによる方法には限定されない。例えば、雨滴量の計測は、マイクで集音された、傘にぶつかる雨滴の音量に基づいて行われてもよい。このとき、雨滴の音量と、傘の周囲音との差分を取ることで、傘の周囲音の影響を低減することができる。そして、雨滴の音量を、予め集められた所定の音量と比較することで、降水量を計測することができる。降水量を演算するための雨滴量の計測は、傘の構造に対応した、適切な方法で行われればよい。
【００３１】
端末制御手段１２は、測位手段１３から位置情報を、計測手段１４から計測情報を、感知手段１５から感知情報を、それぞれ入力する。端末制御手段１２は、入力された感知情報に基づいて雨具の状態を判断し、雨具の状態に遷移があれば、位置情報、計測情報、感知情報に識別情報を付加して端末情報を作成し、送信手段１１に出力する。識別情報とは、情報提供端末１０＃１をユニークに識別するために付与された管理情報である。端末制御手段１２からの端末情報は、送信手段１１を経由してサービス管理サーバ２０に送信される。
【００３２】
なお、雨具の状態の遷移とは、雨具の状態が閉じられた状態から開かれた状態に変わること、または、開かれた状態から閉じられた状態に変わることである。
【００３３】
端末制御手段１２は、雨具の状態が使用状態であれば、所定の時間間隔で上記の端末情報を送信する。端末制御手段１２は、雨具の状態が使用状態でなければ、所定の時間間隔で識別情報と位置情報を含み、感知情報を含まない端末情報を送信する。なお、雨具の状態が使用状態でなく、かつ位置情報に変化がなければ、端末制御手段１２は、端末情報を送信しなくてもよい。
【００３４】
このように、情報提供端末１０＃１から１０＃ｎは、それぞれ、端末情報をサービス管理サーバ２０に送信する。
【００３５】
つぎに、図３を参照して、サービス管理サーバ２０について説明する。サービス管理サーバ２０は、通信手段２１、サービス管理手段２２、情報記憶手段２３と情報演算手段２４を備える。
【００３６】
通信手段２１は、情報提供端末１０＃１から１０＃ｎのそれぞれから端末情報を受信する。通信手段２１は、外部のサービス端末３０＃１から３０＃ｍのそれぞれからサービス端末情報を受信し、サービス端末３０＃１から３０＃ｍにサービス情報を送信する。サービス端末３０＃１から３０＃ｍ、サービス端末情報およびサービス情報については、後述する。
【００３７】
サービス管理手段２２は、受信された各端末情報にそれぞれが受信されたときの各受信時刻情報が付加された各端末収集情報を情報記憶手段２３に蓄積する。
【００３８】
情報演算手段２４は、情報記憶手段２３に蓄積された各端末収集情報に基づいて、サービス提供のための所定の演算を行う。そして、情報演算手段２４は、演算結果をサービス情報として情報記憶手段２３に登録する。情報演算手段２４による演算は、例えば、情報記憶手段２３に記憶されている各情報提供端末１０＃１から１０＃ｎのそれぞれからの位置情報、計測情報、感知情報および受信時刻情報を用いる演算である。そして、これらの情報から、情報演算手段２４は、所定のエリア毎の傘の「開閉状況」、「開閉率」、「降雨状況」、「降雨強度状況」、およびそれらの「推移状況」を算出する。そして、それぞれの算出結果、すなわち降水状況に関する情報を、サービス情報の「降水情報」として情報記憶手段２３に登録する。したがって、降水情報には、傘の開閉状況、開閉率、降雨状況、降雨強度状況、およびそれらの推移状況が含まれる。降水情報に含まれるそれぞれの状況の内容について、以下に説明する。
【００３９】
開閉状況は、各時刻での傘の開閉の状態が位置情報によって所定のエリア毎にマッピングされたものである。開閉率は、各時刻での所定のエリア毎に位置する傘の数に対する開かれている状態の傘の数の割合である。
【００４０】
降雨状況は、計測情報に基づいて、各時刻での降水量が演算され、演算された降水量が位置情報によって所定のエリア毎にマッピングされたものである。降雨強度状況は、演算された降水量に基づいて降雨の強度が判別された結果が位置情報によって所定のエリア毎にマッピングされたものである。具体的には、情報演算手段２４は、計測情報から１時間当たりの降水量（以降、「１時間降水量」という。）を演算する。演算された１時間降水量は、降雨状況の作成に使用される。そして、情報演算手段２４は、演算された１時間降水量に基づいて降雨の強度を、例えば次の４段階に判別する。すなわち、情報演算手段２４は、１時間降水量が３ｍｍ未満であれば小雨、３ｍｍ以上１０ｍｍ未満であれば雨、１０ｍｍ以上３０ｍｍ未満であれば強い雨、３０ｍｍ以上であれば激しい雨の４段階に降雨の強度を判別する。判別された降雨の強度は、各時刻での降雨強度状況として所定のエリア毎にマッピングされる。なお、降雨の強度の判別は、４段階に限定されない。降雨の強度は、適宜適切に判別されればよい。このように、降水情報の傘の開閉状況、開閉率、降雨状況および降雨強度状況は、それぞれ、降水分布を示す情報である。
【００４１】
また、推移状況は、所定のエリア毎での傘の開閉状況、開閉率、降雨状況および降雨強度状況を、過去から現在までの推移として所定の時間間隔で示したものである。このように、降水情報の推移状況は、降水分布の時間的推移を示す情報である。
【００４２】
さらに、情報演算手段２４は、所定のエリア毎の傘の開閉状況、開閉率、降雨状況および降雨強度状況の、所定の時間範囲内での過去から現在までの推移状況に基づいて、所定の時間間隔毎での未来の傘の開閉状況、開閉率、降雨状況および降雨強度状況の推移を推定する。そして、情報演算手段２４は、それぞれの推定結果、すなわち降水分布の未来の推移を予測した結果を示す情報を、サービス情報の「降水予測情報」として情報記憶手段２３に登録する。降水予測情報には、所定の時間間隔毎での未来の傘の開閉状況、開閉率、降雨状況および降雨強度状況、それぞれの降水分布の予測結果を示す情報が含まれる。
【００４３】
このように、サービス情報は、情報記憶手段２３に蓄積された各端末収集情報に基づいて、所定のエリア毎で所定の演算が行われたものである。すなわち、サービス情報とは、各情報提供端末からの各端末収集情報を気象情報として用いて処理された、所定のエリア毎での降水分布を示す降水情報、および降水分布の予測結果を示す降水予測情報である。
【００４４】
なお、降水情報および降水予測情報が演算される所定のエリアとは、所定の傘（例えば、情報提供端末１０＃１）の位置情報の座標、予め指定された座標（ランドマークなど）を中心とした所定の半径のエリアである。また、所定のエリアは、後述するサービス端末（例えば、サービス端末３０＃１）の位置情報の座標、サービス端末（例えば、サービス端末３０＃１）のスケジューラに登録された目的地の位置情報の座標などを中心とした所定の半径のエリアなどでもよい。すなわち、所定のエリアは、エリアの代表とすべき座標と、半径や南北、東西などの辺の長さによってエリアの広さが指定されるものであればよい。
【００４５】
サービス管理手段２２には、適宜、予めサービス情報の演算を行う対象の、エリア及び時刻の設定がなされ、情報演算手段２４に設定されたエリアと時刻を通知する。情報演算手段２４は、通知されたエリア及び時刻の設定に基づいて、上述のサービス情報の演算を行う。そして、情報演算手段２４は、通知されたエリア及び時刻の設定に対応させてサービス情報を情報記憶手段２３に登録する。
【００４６】
サービス管理手段２２は、情報記憶手段２３に登録されたサービス情報、降水情報および降水予測情報を通信手段２１から、外部のサービス端末３０＃１から３０＃ｍに送信する。このとき、サービス管理手段２２は、例えば、サービス端末３０＃１が位置するエリアに関するサービス情報を情報記憶手段２３から抽出して、通知してもよい。
【００４７】
サービス管理手段２２は、外部のサービス端末３０＃１からの要求に基づいて、サービス情報を送信する。このとき、サービス管理手段２２は、例えば要求された目的地の位置情報の座標を中心とする所定のエリアを情報演算手段２４に指示する。そして、演算されたサービス情報を、サービス管理手段２２は、要求元のサービス端末３０＃１に通知してもよい。
【００４８】
次に、図４を参照して、外部のサービス端末３０＃１から３０＃ｍについて説明する。サービス端末３０＃１は、通信手段３１、出力手段３２、測位手段３３とアプリケーション管理手段３４を備える。サービス端末３０＃ｍは、サービス端末３０＃１と同様の構成を備える。ここでは、サービス端末３０＃１の動作について説明する。
【００４９】
測位手段３３は、複数のＧＰＳ衛星からの電波を受信して位置情報を取得する。アプリケーション管理手段３４には、サービス端末３０＃１の利用者（以降、「サービス利用者」という。）のスケジュール情報などが予め登録されている。そして、アプリケーション管理手段３４は、測位手段３３によって取得された位置情報と登録されたスケジュール情報に、識別情報を付加したサービス端末情報を作成する。そして、アプリケーション管理手段３４は、作成されたサービス端末情報を所定の時間間隔でサービス管理サーバ２０に通信手段３１を経由して送信する。あるいは、アプリケーション管理手段３４は、自身の位置情報が変化したとき、スケジュール情報が更新されたとき、またはサービス情報の送信を要求するとき、サービス端末情報を作成し、サービス管理サーバ２０に送信する。なお、識別情報とは、サービス端末３０＃１をユニークに識別するために予め付与された管理情報である。
【００５０】
サービス管理手段２２は、サービス端末３０＃１から受信されたサービス端末情報に、受信されたときの時刻情報を付加したサービス端末受信情報として情報記憶手段２３に記憶する。
【００５１】
サービス管理手段２２は、サービス端末３０＃１の位置情報の座標を中心とした所定のエリアのサービス情報を情報記憶手段２３から取得して、サービス端末３０＃１に通知する。または、サービス管理手段２２は、サービス端末３０＃１の位置情報の座標を中心とした所定のエリアのサービス情報を情報演算手段２４に演算させ、演算されたサービス情報をサービス端末３０＃１に通知してもよい。
【００５２】
また、サービス管理手段２２は、サービス端末３０＃１のスケジュール情報の目的地から、目的地の位置情報の座標を中心とした所定のエリアのサービス情報を情報記憶手段２３から取得する。そして、サービス管理手段２２は、取得されたサービス情報をサービス端末３０＃１に通知する。サービス管理手段２２は、サービス端末３０＃１の目的地と予定時刻から、目的地を中心とした所定のエリアの予定時刻におけるサービス情報を情報記憶手段２３から取得する。サービス管理手段２２は、取得されたサービス情報をサービス端末３０＃１に通知する。
【００５３】
また、サービス管理手段２２は、サービス端末３０＃１のスケジュール情報の目的地から、目的地を中心とした所定のエリアのサービス情報を情報演算手段２４に演算させる。サービス管理手段２２は、演算されたサービス情報をサービス端末３０＃１に通知してもよい。サービス管理手段２２は、サービス端末３０＃１のスケジュール情報の目的地と予定時刻から、目的地を中心とした所定のエリアの予定時刻におけるサービス情報を情報演算手段２４に演算させる。サービス管理手段２２は、演算されたサービス情報をサービス端末３０＃１に通知してもよい。
【００５４】
このように、サービス端末３０＃１には、情報提供端末１０＃１から１０＃ｎによってリアルタイムに収集された端末情報に基づいて更新されたサービス情報がサービス管理手段２２から所定の時間間隔で通知される。
【００５５】
サービス端末３０＃１の通信手段３１は、サービス端末情報を送信し、サービス情報を受信する。出力手段３２は、受信されたサービス情報を所定の形態で出力する。例えば、サービス情報は、画面に表示されてもよいし、音声で出力されてもよい。出力形態にはよらず、サービス利用者には、情報提供端末１０＃１から１０＃ｎによってリアルタイムに収集された端末情報に基づいて、所定のエリアにおいて演算されたサービス情報、例えば上述の降水情報に含まれる傘の開閉状況や降水予測情報などがリアルタイムに通知される。
【００５６】
そのため、サービス利用者は、自身の位置する所定のエリアでの降水情報および降水予測情報であるサービス情報を把握して、行動することができる。また、サービス利用者は、自身のスケジュール情報に基づいて、予定されている目的地と予定時刻から、目的地の座標を中心とした所定のエリアの、目的地到着予定時刻におけるサービス情報を把握して、行動することもできる。
【００５７】
このように、本実施形態では、情報提供端末１０＃１から１０＃ｎのそれぞれからの感知情報と計測情報がサービス管理サーバ２０に収集される。そして、サービス管理サーバ２０は、収集された情報を気象情報として、所定のエリア毎に所定の演算を行う。演算結果は、サービス情報、すなわち、降水分布を示した降水情報および降水分布の予測を示した降水予測情報としてサービス管理サーバ２０からサービス端末３０＃１から３０＃ｍに提供される。そのため、本実施形態は、情報提供端末が展開されるエリアでの密度を高めることで、提供される気象情報の地理的な面での精度を改善することができる。
【００５８】
さらに、サービス端末３０＃１から３０＃ｍのそれぞれのスケジュール情報がサービス管理サーバ２０に登録されていれば、登録された目的地と予定時刻をもとに、目的地の座標を中心とした所定のエリアの降水情報、予定時刻での降水予測情報がサービス情報として演算されて提供される。そのため、本実施形態は、スケジュール情報と連動したサービス情報を提供することができる。
【００５９】
また、本実施形態では、情報提供端末１０＃１から１０＃ｎのそれぞれからリアルタイムに収集された端末情報を気象情報として、逐次、演算されたサービス情報がサービス管理サーバから出力される。そのため、本実施形態は、リアルタイムにサービス情報を提供することができる。
【００６０】
なお、本実施形態では、情報提供端末を雨具である傘と一体化されたものとして説明したが、本発明の雨具は必ずしも傘でなくてもよい。雨具は、例えば、開閉可能な屋根や庇などでもよい。
【００６１】
すなわち、本発明の情報提供端末は、雨具と一体として使用され、情報提供端末が雨具の状態を感知した結果である感知情報と、降水量の演算を行うための計測情報を取得できるものであればよい。
【００６２】
また、本実施形態では、情報提供端末を雨具と一体化されたものとして説明したが、情報提供端末は必ずしも雨具と一体化されていなくてもよい。例えば、情報提供端末は、雨具に着脱可能に装着されて使用されるものでもよい。すなわち、情報提供端末は、雨具と一体として使用され、雨具の状態を感知した結果である感知情報と、降水量の演算を行うための計測情報が取得できるものであればよい。
【００６３】
また、本実施形態では、情報提供端末は、サービス管理サーバに直接端末情報を送信する送信手段を備えるものとして説明した。しかし、情報提供端末の送信手段は、必ずしもサービス管理サーバに直接端末情報を送信できなくてもよい。情報提供端末の送信手段は、外部の情報端末、例えばサービス端末に端末情報を送信し、サービス端末を経由してサービス管理サーバに端末情報を送信するものでもよい。この場合、情報提供端末の位置情報は、サービス端末の位置情報を使用してもよい。
【００６４】
また、本実施形態では、外部のサービス端末からサービス端末情報を取得すると説明した。しかし、本実施形態では、位置情報やスケジュール情報を含むサービス端末情報を、外部のサービス端末から取得することは必須ではない。すなわち、本実施形態では、サービス管理サーバは外部のサービス端末からの位置情報およびスケジュール情報を取得しなくても、所定のエリア毎のサービス情報を演算し、出力する。そのため、外部のサービス端末が位置情報およびスケジュール情報を送信しなくても、サービス利用者は、サービス情報を必要とするエリアや時刻を指定することによってそのエリアや時刻のサービス情報を受信することができる。
【００６５】
また、本実施形態では、情報提供端末は、さらに出力手段を備えてもよい。情報提供端末が出力手段を備える場合には、端末制御手段は、送信手段に受信機能が加えられた通信手段を経由してサービス管理サーバからのサーバ通知、例えば、警報情報の通知を受信する。そして、端末制御手段は、受信された警報情報を出力手段に入力する。出力手段は、入力された警報情報を、所定の形態に変換された出力信号として外部のデバイスに出力する。例えば、外部のデバイスはブザーでもよい。その場合、出力手段は、警報情報に基づいて出力信号を出力し、ブザーを駆動してもよい。外部のデバイスは、ブザー以外に、スピーカやディスプレイでもよい。
【００６６】
本発明において、図１に示された本実施形態の情報収集システム１における情報提供端末１０＃１の測位手段１３は必須ではない。
【００６７】
情報提供端末１０＃１の位置情報は、必ずしも測位手段１３によって測位されなくてもよい。例えば、情報提供端末１０＃１からサービス管理サーバ２０が端末情報を受信して取得される位置情報を情報提供端末１０＃１の位置情報としてもよい。具体的には、情報提供端末１０＃１からサービス管理サーバ２０へ送信する情報には、通信局の情報が含まれる。通信局の情報とは、例えば基地局やアクセスポイントの識別情報である。そして、通信局の識別情報に基づいて得られる、通信局の設置位置情報が、情報提供端末１０＃１の位置情報としてサービス管理サーバ２０に管理されてもよい。この場合、情報提供端末１０＃１の位置情報は、通信に使用された基地局がカバーするセル、あるいは通信に使用されたアクセスポイントと通信できるエリアに情報提供端末１０＃１が位置するものとして扱われる。
【００６８】
したがって、情報提供端末１０＃１の位置情報は、上述の設置位置情報を使用すればよいので、情報提供端末１０＃１の測位手段１３は必須ではない。情報提供端末の必須の構成は、送信手段、端末制御手段、計測手段と感知手段である。
【００６９】
また、外部のサービス端末３０＃１の測位手段３３およびアプリケーション管理手段３４は必須ではない。
【００７０】
サービス端末３０＃１の位置情報は、必ずしも測位手段３３によって測位されなくてもよい。すなわち、サービス端末３０＃１がサービス管理サーバ２０に通信する際に使用される通信局、例えば、基地局やアクセスポイントの設置位置情報が、サービス端末３０の位置情報としてサービス管理サーバ２０に管理されてもよい。この場合、サービス端末３０＃１の位置情報は、通信に使用される基地局がカバーするセル、あるいは通信に使用されるアクセスポイントが通信するエリアにサービス端末３０＃１が位置するものとして扱われる。
【００７１】
また、サービス端末３０＃１のスケジュール情報は、予めサービス管理サーバ２０の情報記憶手段２３に登録されていれば、サービス端末３０＃１から送信されなくてもよい。そして、サービス端末３０＃１の位置情報は、例えば、位置登録しているセルをカバーする基地局の設置位置情報、またはセル移動した移動先のセルをカバーする基地局の設置位置情報としてサービス管理サーバ２０が追跡できる。そのため、サービス端末３０＃１の位置情報は、アプリケーション管理手段３４が逐次位置情報とスケジュール情報をサービス端末情報として作成して送信する必要はない。
【００７２】
したがって、外部のサービス端末３０＃１の測位手段３３とアプリケーション管理手段３４は必須ではない。サービス端末３０＃１の必須の構成は、通信手段、出力手段である。
（第２の実施形態）
図５は、本発明の最小構成の情報提供端末４０＃１を備える、第２の実施形態の情報収集システム２の構成例を示すブロック図である。
【００７３】
図５を参照して、情報収集システム２の構成について説明する。情報収集システム２では、情報提供端末１０＃１から１０＃ｎが情報提供端末４０＃１から４０＃ｎに、外部のサービス端末３０＃１から３０＃ｍが外部のサービス端末５０に変更されている点が、図１で説明した第１の実施形態と相違している。
【００７４】
情報収集システム２は、情報提供端末４０＃１から４０＃ｎ（ｎは、１以上の整数）とサービス管理サーバ２０を備え、外部のサービス端末５０と接続される。
【００７５】
図６は、本発明の最小構成の情報提供端末４０＃１を示すブロック図である。情報提供端末４０＃１は、測位手段１３を備えていない点が、図２で説明した情報提供端末１０＃１と相違している。したがって、図２で説明した構成と同一の構成については、同一の名称と同一の番号を付記して説明を省略し、相違点について説明する。
【００７６】
情報提供端末４０＃１は、送信手段１１、端末制御手段１２、計測手段１４と感知手段１５を備える。情報提供端末４０＃ｎは、情報提供端末４０＃１と同様の構成を備える。ここでは、情報提供端末４０＃１の動作について説明する。
【００７７】
情報提供端末４０＃１は、情報提供端末１０＃１と同様に、雨具である傘と一体化されたものとして説明する。
【００７８】
送信手段１１は、端末制御手段１２からの端末情報をサービス管理サーバ２０に送信する。
【００７９】
感知手段１５は、利用者が傘に対して行った所定の操作結果を感知する。具体的には、感知手段１５は、傘が開かれた状態か、または閉じられた状態かを感知して、感知結果を感知情報として出力する。
【００８０】
計測手段１４は、傘が開かれた状態にあるとき、その傘の周囲状況を計測する。具体的には、計測手段１４は、降雨量を計測する。そのために、計測手段１４は、例えば、衝撃センサを備えて、雨滴による傘への衝撃度合を計測し、計測結果を計測情報として出力する。
【００８１】
端末制御手段１２には、計測手段１４からの計測情報と感知手段１５からの感知情報が入力される。端末制御手段１２は、入力された感知情報に基づいて、傘の状態に遷移があれば、計測情報と感知情報に識別情報を付加して端末情報を作成し、送信手段１１に出力する。識別情報とは、情報提供端末４０＃１をユニークに識別するために予め付与された管理情報である。端末制御手段１２からの端末情報は、送信手段１１を経由してサービス管理サーバ２０に送信される。端末制御手段１２は、所定の時間間隔で上記の端末情報を送信する。
【００８２】
このように、情報提供端末４０＃１から４０＃ｎは、それぞれ、端末情報をサービス管理サーバ２０に送信する。
【００８３】
つぎに、サービス管理サーバ２０について説明する。サービス管理サーバ２０は、図３で説明した構成と同一であり、通信手段２１、サービス管理手段２２、情報記憶手段２３と情報演算手段２４を備える。
【００８４】
通信手段２１は、情報提供端末４０＃１から４０＃ｎのそれぞれから端末情報を受信する。通信手段２１は、外部のサービス端末５０に前述のサービス情報を送信する。サービス端末５０については、後述する。
【００８５】
サービス管理手段２２は、受信された各端末情報に、それぞれが受信されたときの各受信時刻情報を付加した各端末収集情報を情報記憶手段２３に蓄積する。
【００８６】
なお、サービス管理手段２２は、情報提供端末４０＃１の位置情報が端末情報に含まれていなくても、情報提供端末４０＃１の位置情報を取得することができる。例えば、サービス管理手段２２は、情報提供端末４０＃１の端末情報の送信経路で付加される通信局情報、基地局情報またはアクセスポイント情報から、基地局またはアクセスポイントの設置位置情報を取得して、情報提供端末４０＃１の位置情報として情報記憶手段２３に蓄積する。また、サービス管理手段２２は、情報提供端末４０＃１が端末情報を送信したときの電波強度情報から情報提供端末４０＃１の位置情報を算定して情報記憶手段２３に蓄積してもよい。すなわち、サービス管理手段２２は、情報提供端末４０＃１が端末情報を送信したときに、サービス管理手段２２で取得される情報に基づいて情報提供端末４０＃１の位置情報を求めて情報記憶手段２３に蓄積することができる。
【００８７】
情報演算手段２４は、情報記憶手段２３に蓄積された端末収集情報に基づいて、サービス提供のための所定の演算を行う。そして、情報演算手段２４は、演算結果である前述の降水情報および降水予測情報を前述のサービス情報として情報記憶手段２３に登録する。
【００８８】
サービス管理手段２２は、情報演算手段２４にサービス情報の演算を指示し、情報記憶手段２３に登録されたサービス情報、すなわち、降水情報および降水予測情報を通信手段２１から出力する。なお、サービス情報の演算の指示とは、サービス情報を演算するための所定のエリアと時刻の設定である。
【００８９】
図７は、外部のサービス端末の他の構成例を示すブロック図である。サービス端末５０は、図４で説明したサービス端末３０＃１の通信手段３１と出力手段３２を備える。
【００９０】
外部のサービス端末５０の通信手段３１は、出力されたサービス情報を受信する。そして、受信されたサービス情報は出力手段３２によって所定の形態で出力される。サービス利用者はサービス情報が所定の形態で出力されることによってサービス情報を取得して、行動することができる。
【００９１】
図８は、本実施形態の情報提供端末４０＃１の動作例を示したフローチャートである。図８を参照して、情報提供端末４０＃１の動作について説明する。情報提供端末４０＃１の端末制御手段１２は、感知情報と計測情報により傘が使用状態であるか否かを確認する（Ｓ１００）。傘が使用状態でなければ（Ｓ１００：Ｎｏ）、端末制御手段１２は、感知手段１５からの感知情報と識別情報を含む端末情報をサービス管理サーバ２０に送信し（Ｓ１０１）、終了する。
【００９２】
一方、端末制御手段１２は、傘が使用状態であれば（Ｓ１００：Ｙｅｓ）、計測手段１４からの計測情報、感知手段１５からの感知情報と識別情報を含む端末情報をサービス管理サーバ２０に送信し（Ｓ１０２）、終了する。
【００９３】
このように、情報提供端末４０＃１は、傘の使用状態を確認し、確認された傘の状態に対応した端末情報をサービス管理サーバ２０に所定の時間間隔で送信する。情報提供端末４０＃１は、傘が使用状態であれば、降水量に関わる計測情報を含んだ端末情報をサービス管理サーバ２０に送信する。
【００９４】
図９は、本実施形態のサービス管理サーバ２０の動作例を示したフローチャートである。図９を参照して、サービス管理サーバ２０の動作について説明する。サービス管理手段２２は、情報提供端末４０＃１から４０＃ｎのそれぞれからの端末情報を受信したか否かを確認する（Ｓ２００）。サービス管理手段２２は、端末情報を受信していなければ（Ｓ２００：Ｎｏ）、ステップＳ２００の処理を継続する。サービス管理手段２２は、端末情報を受信していれば（Ｓ２００：Ｙｅｓ）、受信された端末情報に、端末情報が受信されたときの受信時刻情報を付加した端末収集情報として情報記憶手段２３に蓄積する（Ｓ２０１）。
【００９５】
情報演算手段２４は、情報記憶手段２３に蓄積された各端末収集情報に基づいて、演算を行なった降水情報および降水予測情報であるサービス情報を情報記憶手段２３に登録する（Ｓ２０２）。
【００９６】
そして、サービス管理手段２２は、登録されたサービス情報を出力して（Ｓ２０３）、ステップＳ２００の処理に戻る。
【００９７】
このように、サービス管理サーバ２０は、情報提供端末４０＃１から４０＃ｎのそれぞれからの端末情報の受信をモニタリングし、端末情報が受信されれば、端末収集情報として順次蓄積する。そして、サービス管理サーバ２０は、蓄積された端末収集情報に基づいて所定のサービス情報を演算して登録する。そして、登録されたサービス情報は、サービス管理サーバ２０から出力される。
【００９８】
このように、本実施形態では、情報提供端末４０＃１から４０＃ｎのそれぞれからの感知情報と計測情報がサービス管理サーバ２０に収集される。そして、サービス管理サーバ２０は、収集された情報を気象情報として演算を行う。演算結果は、サービス情報、すなわち、降水分布を示す降水情報および降水分布の予測結果を示す降水予測情報としてサービス管理サーバ２０から提供される。そのため、本実施形態は、情報提供端末が展開されるエリアでの情報提供端末の密度を高めることで、提供される気象情報の地理的な面での精度を改善することができる。
【００９９】
なお、本実施形態では、サービス管理サーバはサービス情報を出力すると説明した。しかし、サービス管理サーバは必ずしもサービス情報を出力しなくてもよい。例えば、サービス管理サーバに登録されたサービス情報が外部のサービス端末から検索されて、検索結果であるサービス情報がサービス端末によって読み出されてもよい。すなわち、本発明のサービス管理サーバは情報提供端末によって収集された端末情報に基づいてサービス情報を演算し、サービス情報が登録できればよい。したがって、サービス管理サーバの必須の通信機能は、受信機能である。すなわち、サービス管理サーバの必須の構成は、受信手段、サービス管理手段、情報演算手段と情報記憶手段である。
【０１００】
なお、図８に示した情報提供端末４０＃１のフローチャートは、本発明に関わる情報提供端末４０＃１の動作例として例示したものであって、本発明の情報提供端末の動作はこのフローチャートで示されたものに限定されない。
【０１０１】
また、図９に示したサービス管理サーバ２０のフローチャートは、本発明に関わるサービス管理サーバ２０の動作例として例示したものであって、本発明のサービス管理サーバの動作はこのフローチャートで示されたものに限定されない。
【０１０２】
なお、本願発明は、上述の各実施形態に限定されるものではなく、本願発明の要旨を逸脱しない範囲で種々変更、変形して実施することができる。
【０１０３】
例えば、情報提供端末の計測手段は、さらに温度や湿度、気圧などを計測するセンサを備え、それぞれのセンサからの計測情報がサービス管理サーバに収集されてもよい。そして、サービス管理サーバは、収集された温度や湿度、気圧などの気象情報をサービス情報として所定のエリア毎に演算して出力してもよい。
【０１０４】
また、本発明では、情報提供端末は無線で通信すると説明したが、情報提供端末がサービス管理サーバと通信する無線の通信方式は限定されない。本発明に関わる情報提供端末の通信方式は、移動体通信や衛星通信を含む一般の各種の無線通信であってもよい。すなわち、本発明に関わる情報提供端末の通信方式は、情報提供端末からサービス管理サーバに端末情報が送信でき、端末情報を中継する通信局、例えば基地局またはアクセスポイントなどの設置位置情報がサービス管理サーバにて取得できるものであればよく、通信方式は限定されない。
【０１０５】
また、上述の各実施形態の情報提供端末の端末制御に関わる処理は、本発明の情報提供端末が備えるコンピュータを用いたソフトウェアによって実行されてもよい。すなわち、端末制御の処理を行うコンピュータプログラムが、ＣＰＵ（Central Processing Unit、図示せず）によって読み込まれ、実行されることによって、端末制御処理の制御が行われてもよい。プログラムを用いて端末制御処理の制御を行っても、上述の実施形態の端末制御の処理と同内容の処理を行うことができる。
【０１０６】
また、上述の各実施形態のサービス管理サーバのサービス情報に関わる処理は、本発明のサービス管理サーバが備えるコンピュータを用いたソフトウェアによって実行されてもよい。すなわち、サービス情報に関わる処理を行うコンピュータプログラムが、ＣＰＵ（図示せず）によって読み込まれ、実行されることによって、サービス情報に関わる処理が行われてもよい。プログラムを用いてサービス情報に関わる処理を行っても、上述の実施形態のサービス管理サーバのサービス情報に関わる処理と同内容の処理を行うことができる。
【０１０７】
なお、それぞれのプログラムは、ＲＯＭ（Read Only Memory）、ＲＡＭ（Random Access Memory）、フラッシュメモリ等の半導体記憶装置、光ディスク、磁気ディスク、光磁気ディスク等、非一時的な媒体に格納されてもよい。
【符号の説明】
【０１０８】
１、２    情報収集システム
１０＃１、１０＃ｎ、４０＃１、４０＃ｎ    情報提供端末
１１    送信手段
１２    端末制御手段
１３、３３    測位手段
１４    計測手段
１５    感知手段
２０    サービス管理サーバ
２１    通信手段
２２    サービス管理手段
２３    情報記憶手段
２４    情報演算手段
３０＃１、３０＃ｍ、５０  サービス端末
３１    通信手段
３２    出力手段
３４    アプリケーション管理手段
【図１】
2015175834.tif 000003
【図２】
2015175834.tif 000004
【図３】
2015175834.tif 000005
【図４】
2015175834.tif 000006
【図５】
2015175834.tif 000007
【図６】
2015175834.tif 000008
【図７】
2015175834.tif 000009
【図８】
2015175834.tif 000010
【図９】
2015175834.tif 000011